(57)【要約】【課題】食器皿の種別ごとに分別する皿分別装置を提供する。【解決手段】皿分別装置１００は、食器皿（飲食物容器）３をまとめて投入する皿投入部１６０と、皿投入部１６０で投入された食器皿３を一枚ずつ搬送する搬送部１１０と、食器皿３の種別毎に設けられ、食器皿３を種別ごとに分別するとともに、分別された食器皿３をストッカに保持する皿排出部１３０Ａ〜Ｃと、食器皿３の種別を識別する識別部１２０と、食器皿３を載置して一の皿排出部１３０から隣接する皿排出部１３０に移動させる移動部１４０と、を有し、皿排出部１３０の各々は、識別部１２０により識別された食器皿３の種別に対応する皿排出部１３０に、食器皿３が移動部１４０により移動されたときに、食器皿３の底を皿排出部１３０の出口側に押し出す押し出し手段としての押出しピストン１５０Ａ〜Ｃを備える。【選択図】図２
2013224211.tif 000002
【特許請求の範囲】
【請求項１】
複数種の食器皿を、当該食器皿の種別毎に設けられる皿排出部に分別する皿分別装置であって、
前記食器皿の種別を識別する識別部と、
前記食器皿を載置し、一の皿排出部から隣接する皿排出部に移動させる移動部と、を有し、
前記皿排出部は、前記識別部により識別された前記食器皿の種別に対応する皿排出部に、前記食器皿が前記移動部により移動されたときに、当該食器皿を当該皿排出部の出口側に押し出す押し出し手段を備えることを特徴とする皿分別装置。
【請求項２】
前記移動部は、前記食器皿を載置し、間隔が隔てられて設けられた二つの棒状の移動手段を備え、
前記押し出し手段は、前記皿排出部ごとに備えられ、前記二つの棒状の移動手段の隙間から前記食器皿の底部をそれぞれ押し出すことを特徴とする請求項１に記載の皿分別装置。
【請求項３】
前記種別毎の皿排出部は、一列に配設されており、
前記移動部は、前記隣接する皿排出部への食器皿の移動を、前記一の皿排出部の全てにおいて同時に行うことを特徴とする請求項１または２に記載の皿分別装置。
【請求項４】
前記移動部は、
前記食器皿を載置し、一の皿排出部から隣接する皿排出部に移動し、当該隣接する皿排出部から前記一の皿排出部に戻る移動ギア手段と、
前記移動ギア手段が、前記一の皿排出部から前記隣接する皿排出部に移動する際に、当該移動ギア手段を上方に持ち上げ、前記隣接する皿排出部から前記一の皿排出部に戻る際に、当該移動ギア手段を下方に下げるリフト手段と、
前記リフト手段により前記移動ギア手段が下方に下げられた際に、前記皿排出部に位置する食器皿を保持するガイド部材とを備え、
前記押し出し手段は、前記食器皿の押し出しを、前記リフト手段により前記移動ギア手段が下方に下げられた際に行うことを特徴とする請求項１ないし３のいずれかに記載の皿分別装置。
【請求項５】
前記移動ギア手段は、前記皿排出部の少なくとも二つに亘って配設されることを特徴とする請求項４に記載の皿分別装置。
【請求項６】
前記ガイド部材は、前記皿排出部の全てに亘って配設されることを特徴とする請求項４に記載の皿分別装置。
【請求項７】
前記皿排出部に位置する前記食器皿に対して、前記移動部の移動方向への当該食器皿の移動を規制する皿移動規制部を有することを特徴とする請求項１ないし６のいずれかに記載の皿分別装置。
【請求項８】
前記リフト手段による前記移動ギアの動作に連動されるとともに、前記皿排出部に位置する前記食器皿に対して、前記移動部の移動方向への当該食器皿の移動を規制する皿移動規制部を有することを特徴とする請求項４に記載の皿分別装置。
【発明の詳細な説明】
【技術分野】
【０００１】
本発明は、飲食店等で使用される飲食物を載置するための食器皿を、その種別ごとに識別して分別する皿分別装置に関する。
【背景技術】
【０００２】
従来、食器皿洗浄装置にて洗浄された食器皿は、食器皿分別装置において、裏面に設けられている金属マークを検出することで皿の種別が検出されるとともに、皿案内ローラにより移動され、該当する種別に対応する皿停止位置に送られたときに、皿停止装置の皿停止部材により停止されるように制御されている。また、停止された食器皿は、押上用ピストンに押されて積み重ねストッカに保持される。このような食器皿分別装置を用いることで、洗浄された食器皿を皿の種別ごとに仕分けしている（例えば、特許文献１参照）。
【先行技術文献】
【特許文献】
【０００３】
【特許文献１】実用新案登録第２５４０６０１号公報（第４頁、第２図）
【発明の概要】
【発明が解決しようとする課題】
【０００４】
しかしながら、特許文献１に記載の食器皿分別装置にあっては、種別に対応する皿停止装置では、皿停止部材を上方に移動させることで、皿案内ローラにより滑り落ちてくる食器皿を停止位置に停止させなければならず、皿停止部材の移動タイミングが遅れると、食器皿を停止位置に停止させることができなくなる場合があった。また、皿停止部材により食器皿を停止位置に停止させた際にも、停止位置からずれた位置に停止してしまい、押上用ピストンによる押し上げがうまくいかないことがあった。このため食器皿の仕分けができなくなるという問題が生じていた。
【０００５】
本発明は、このような問題点に着目してなされたもので、種別の異なる食器皿の仕分けを確実に行うことができる皿分別装置を提供することを目的とする。
【課題を解決するための手段】
【０００６】
前記課題を解決するために、本発明の皿分別装置は、
複数種の食器皿を、当該食器皿の種別毎に設けられる皿排出部に分別する皿分別装置であって、
前記食器皿の種別を識別する識別部と、
前記食器皿を載置し、一の皿排出部から隣接する皿排出部に移動させる移動部と、を有し、
前記皿排出部は、前記識別部により識別された前記食器皿の種別に対応する皿排出部に、前記食器皿が前記移動部により移動されたときに、当該食器皿を当該皿排出部の出口側に押し出す押し出し手段を備えることを特徴としている。
この特徴によれば、皿排出部は、食器皿の種別毎に設けられており、移動部は、食器皿を載置して一の皿排出部から隣接する皿排出部に確実に移動させることができる。その後、押し出し手段は、識別部により識別された前記食器皿の種別に対応する皿排出部に、前記食器皿が前記移動部により移動されたときに、当該食器皿を前記皿排出部の出口側に押し出すことができるので、食器皿を停止位置である皿排出部に確実に停止させて、押し出すことができる。これにより、食器皿の停止位置が皿排出部からずれてしまうことがなく、移動部と押し出し手段とのタイミング制御もより簡単になり、食器皿の種別毎の仕分けを確実に行うことができる。この場合、食器皿の種別に対応しない皿排出部に食器皿が移動されたときには、移動部により、次の皿排出部に移動させることができ、食器皿は、種別に対応する皿排出部まで次々と移動されていくことになる。
【０００７】
本発明の皿分別装置は、
前記移動部は、前記食器皿を載置し、間隔が隔てられて設けられた二つの棒状の移動手段を備え、
前記押し出し手段は、前記皿排出部ごとに備えられ、前記二つの棒状の移動手段の隙間から前記食器皿の底部をそれぞれ押し出すことを特徴としている。
この特徴によれば、二つの棒状の移動手段に、食器皿を載置して移動させ、押し出し手段は、前記皿排出部ごとに備えられ、二つの棒状の移動手段の隙間から前記食器皿の底部をそれぞれ押し出すことができるので、押し出し手段の押出しの際に、移動手段が邪魔にならないので、例えば、食器皿の移動と押出しとを交互に行うことができ、食器皿の種別毎の仕分けを確実に行うことができる。
【０００８】
本発明の皿分別装置は、
前記種別毎の皿排出部は、一列に配設されており、
前記移動部は、前記隣接する皿排出部への食器皿の移動を、前記一の皿排出部の全てにおいて同時に行うことを特徴としている。
この特徴によれば、移動部は、前記隣接する皿排出部への食器皿の移動を、同時に、前記一の皿排出部の全てにおいて行うことができるので、一列に配設されている皿排出部において、複数の食器皿を次々と移動させることができる。
【０００９】
本発明の皿分別装置は、
前記移動部は、
前記食器皿を載置し、一の皿排出部から隣接する皿排出部に移動し、当該隣接する皿排出部から前記一の皿排出部に戻る移動ギア手段と、
前記移動ギア手段が、前記一の皿排出部から前記隣接する皿排出部に移動する際に、当該移動ギア手段を上方に持ち上げ、前記隣接する皿排出部から前記一の皿排出部に戻る際に、当該移動ギア手段を下方に下げるリフト手段と、
前記リフト手段により前記移動ギア手段が下方に下げられた際に、前記皿排出部に位置する食器皿を保持するガイド部材とを備え、
前記押し出し手段は、前記食器皿の押し出しを、前記リフト手段により前記移動ギア手段が下方に下げられた際に行うことを特徴としている。
この特徴によれば、移動ギア手段は、一の皿排出部から隣接する皿排出部に移動（前進）し、このとき、リフト手段は、当該移動ギア手段を上方に持ち上げており、また、リフト手段が、移動ギア手段を下方に下げてから、移動ギア手段は、隣接する皿排出部から前記一の皿排出部に戻る（後退する）ように動作する。これにより、移動ギア手段は、前進移動するときには上方において移動し、後退するときには下方において移動する。前記押し出し手段は、前記食器皿の押し出しを、前記リフト手段により前記移動ギア手段が下方に下げられた際に行うことができる。移動ギア手段が、後進するときには、ガイド部材が皿排出部に位置する食器皿を保持するので、食器皿が後退することがなく、食器皿を次々と前進させることができる。
【００１０】
本発明の皿分別装置は、
前記移動ギア手段は、前記皿排出部の少なくとも二つに亘って配設されることを特徴としている。
この特徴によれば、移動ギア手段は、前記皿排出部の少なくとも二つに亘って配設されるため、移動ギア手段により皿排出部に位置する複数の食器皿を同時に移動させることができる。
【００１１】
本発明の皿分別装置は、
前記ガイド部材は、前記皿排出部の全てに亘って配設されることを特徴としている。
この特徴によれば、リフト手段により移動ギア手段が下方に下げられた際に、ガイド部材が、全ての皿排出部に位置する食器皿を同時に保持することができる。
【００１２】
本発明の皿分別装置は、
前記皿排出部に位置する前記食器皿に対して、前記移動部の移動方向への当該食器皿の移動を規制する皿移動規制部を有することを特徴としている。
この特徴によれば、食器皿が皿排出部に配置されたときに、皿排出部に位置するこの食器皿に対して、皿移動規制部が前記移動部の移動方向への当該食器皿の移動を規制するため、食器皿が皿排出部の位置に留まり、皿排出部の押出し位置に対して位置ずれしてしまうことがないので、押出し手段による食器皿の押上の失敗を防ぎ、食器皿の押上をスムーズに行うことができる。また、食器皿の押上の失敗後の食器皿の位置ずれによる前進移動のつまりも防ぐことができる。
【００１３】
本発明の皿分別装置は、
前記リフト手段による前記移動ギアの動作に連動されるとともに、前記皿排出部に位置する前記食器皿に対して、前記移動部の移動方向への当該食器皿の移動を規制する皿移動規制部を有することを特徴としている。
この特徴によれば、皿移動規制部の動作タイミングを、前記リフト手段による前記移動ギアの動作タイミングに連動されるようにしておくことで、皿移動規制部と移動ギアとの両者の動作タイミングを簡単に合わせることができる。例えば、移動部の動作タイミングにおける食器皿が移動されていない移動ギア手段がリフト手段により下がるタイミングに合わせて規制することができ、食器皿が押出し位置に対して位置ずれしてしまうことがないので、押出し手段による食器皿の押上の失敗を防ぎ、食器皿の押上をスムーズに行うことができる。また、食器皿の押上の失敗後の食器皿の位置ずれによる前進移動のつまりも防ぐことができる。
【図面の簡単な説明】
【００１４】
【図１】実施例における皿分別装置の構成図である。
【図２】図１に示す皿分別装置のＡ−Ａ断面矢視図である。
【図３】実施例における皿分別装置の移動部の平面図である。
【図４】実施例における皿分別装置の移動部の平面図である。
【図５】実施例における皿分別装置の動作説明図である。
【図６】実施例における皿分別装置の動作説明図である。
【図７】実施例における皿分別装置の動作説明図である。
【図８】実施例における皿分別装置の動作説明図である。
【図９】実施例における皿分別装置の動作説明図である。
【図１０】実施例における皿分別装置の動作説明図である。
【図１１】実施例における皿分別装置の動作説明図である。
【図１２】実施例における皿分別装置の動作説明図である。
【図１３】実施例における皿分別装置の動作説明図である。
【図１４】追加の実施例における皿分別装置の構成及び動作説明図である。
【図１５】追加の実施例における皿分別装置の構成及び動作説明図である。
【発明を実施するための形態】
【００１５】
本発明に係る皿分別装置を備える食器皿搬送システムを実施するための形態を実施例に基づいて以下に説明する。
【実施例】
【００１６】
実施例に係る皿分別装置を備える食器皿搬送システムにつき、図１から図１３を参照して説明する。
【００１７】
図１は、実施例における皿分別装置の構成図を示し、図２に、図１に示す皿分別装置のＡ−Ａ断面矢視図を示し、図３及び図４に、実施例における皿分別装置の移動部の平面図を示している。また、図５〜図１３には、実施例における皿分別装置の動作説明図を示している。
【００１８】
図１において、皿分別装置１００は、食器皿（飲食物容器）３をまとめて投入する皿投入部１６０と、皿投入部１６０で投入された食器皿３を一枚ずつ搬送する搬送部１１０と、食器皿３の種別毎に設けられ、食器皿３を種別ごとに分別するとともに、分別された食器皿３をストッカ１３３Ａ〜Ｃに保持する皿排出部１３０Ａ〜Ｃと、食器皿３の種別を識別する識別部１２０と、食器皿３を載置して一の皿排出部１３０から隣接する皿排出部１３０に移動させる移動部１４０と、を有し、皿排出部１３０の各々は、識別部１２０により識別された食器皿３の種別に対応する皿排出部１３０に、食器皿３が移動部１４０により移動されたときに、食器皿３の底を皿排出部１３０の出口側に押し出す押し出し手段としての押出しピストン１５０Ａ〜Ｃを備える。また、皿排出部１３０は、押出しピストン１５０Ａ〜Ｃにより押し出された食器皿３を積層するストッカ１３３Ａ〜Ｃと、ストッカ１３３Ａ〜Ｃ内に保持するための三つの保持片１３２とを備えている。なお、皿排出部１３０Ａの位置から隣接する皿排出部１３０Ｂの位置への方向（図６に示す矢印の方向）の移動を以下前進といい、前進と逆方向の移動を後退という。また、各モータの制御は、図示しない制御装置により制御される。
【００１９】
食器皿３の種別としては、食器皿３に載置する飲食物の値段等によりあらかじめ定められており、模様や色分けにより飲食客が識別可能であり、また、食器皿３に埋め込まれているＲＦＩＤ（Ｒａｄｉｏ Ｆｒｅｑｕｅｎｃｙ Ｉｄｅｎｔｉｆｉｃａｔｉｏｎ）により電波による個体識別が可能となっており、個体識別子に食器皿３の種別情報を含めておく。識別部１２０では、アンテナ１２１を備え、アンテナ１２１により食器皿３の電波を受信することで、食器皿３の種別の識別が可能となっている。本実施例においては、Ａ皿、Ｂ皿、Ｃ皿の３種類の種別がある場合を例にしているが、２種類としてもよいし、または４種類以上設けてもよい。
【００２０】
食器皿３の種別に対応して、皿排出部１３０Ａ〜Ｃの押出しピストン１５０Ａ〜Ｃが設けられており、識別部１２０は、搬送部１１０により搬送されてきた食器皿３の種別を識別し、図示しない制御装置により、識別された種別に対応する押出しピストン１５０Ａ〜Ｃに押出しが指示される。移動部１４０は、載置した食器皿３を、皿排出部１３０Ａの位置から隣接する皿排出部１３０Ｂの位置に前進移動させるとともに、皿排出部１３０Ｂの位置にある食器皿３を隣接する皿排出部１３０Ｃに前進移動させる。押出しピストン１５０Ａ〜Ｃは、識別部１２０により識別された食器皿３の種別に対応する皿排出部１３０Ａ〜Ｃに、食器皿３が移動部１４０により移動されたときに、食器皿３を皿排出部Ａ〜Ｃの出口側であるストッカ１３３Ａ〜Ｃ内に押し出すことで、食器皿３の種別ごとに仕分けを行っている。
【００２１】
つぎに、皿分別装置１００の移動部１４０と押出しピストン１５０Ａ〜Ｃとの構成および動作を詳細に説明する。
【００２２】
図２に示すように、移動部１４０は、食器皿３を載置し、間隔が隔てられて設けられた二つの棒状の移動手段として移動ギア１４１、１４２と、移動ギア１４１、１４２を駆動する駆動ギア１４４と、駆動ギアを駆動する移動ギア用モータ１４３とを備える。また、移動部１４０は、全ての皿排出部に亘って配設され、食器皿３の側方裏面を支持するガイド部材１５１を備えることができる。図３及び図４に示すように、移動ギア１４１、１４２は、皿排出部の一つ分（１ピッチ分）の移動距離を備え、皿排出部の二つ分である皿排出部１３０ＡおよびＢ、または、皿排出部１３０ＢおよびＣに亘るような長さを備えて配設されている。移動部１４０は、移動ギア１４１、１４２を移動ギア用モータ１４３および駆動ギア１４４により駆動させることで、例えば、図９及び図１０に示すように、移動ギア１４１、１４２上に載置した食器皿３を、皿排出部１３０Ａの位置から隣接する皿排出部１３０Ｂの位置に１ピッチ分移動させるとともに、同時に皿排出部１３０Ｂの位置にある食器皿３を隣接する皿排出部１３０Ｃに１ピッチ分移動させる。これにより、皿排出部１３０Ａ、Ｂに位置する複数の食器皿を同時に前進移動させることができる。また、移動部１４０は、リフト手段としてのスライドレール１４５、１４６と、リフトレバー１４７とを備えている。スライドレール１４５、１４６とリフトレバー１４７とは、連結されており、また、スライドレール１４５、１４６は、移動ギア１４１、１４２に連結されている。移動部１４０は、食器皿３を前進移動させる際に、リフトレバー１４７でスライドレール１４５、１４６を持ち上げることで、移動ギア１４１、１４２を上方に持ち上げて、移動ギア用モータ１４３を回転させて駆動ギア１４４を介して移動ギア１４１、１４２を前進移動させることで、移動ギア１４１、１４２上に載置されている食器皿３を１ピッチ移動させることができる。移動部１４０は、リフトレバー１４７でスライドレール１４５、１４６を下方に下げることで、移動ギア１４１、１４２を下方に下げて、移動ギア用モータ１４３を逆回転させて駆動ギア１４４を介して移動ギア１４１、１４２を後退移動させる。この場合、移動ギア１４１、１４２を下方に下げることで、食器皿３は、ガイド部材１５１上に保持されて載置されることとなり、移動ギア１４１、１４２上から離れる。このため、移動ギア１４１、１４２が後退する際には、食器皿３は移動せず、そのまま前進移動後の皿排出部１３０に留まる。移動部１４０の移動ギア１４１、１４２は、このようにして、前進移動と後退移動とを交互に続けることで、皿排出部１３０Ａ、Ｂに位置する複数の食器皿を同時に１ピッチ分前進移動させることができる。
【００２３】
また、押出しピストン１５０Ａ〜Ｃは、図２に示すように、押出し用モータ１３１Ａ〜Ｃと、この押出し用モータ１３１Ａ〜Ｃにそれぞれ接続される駆動ギアと、駆動ギアに接続され、押出しピストン１５０を押し出すように駆動するリンク部とを備える。押出しピストン１５０Ａ〜Ｃは、移動部１４０の移動ギア１４１、１４２が、後退移動しているときに、移動されてきた食器皿３を皿排出部Ａ〜Ｃの出口側であるストッカ１３３Ａ〜Ｃ内に押し出す。
【００２４】
つぎに、皿分別装置１００における食器皿３の移動の様子を、図１および図５〜図１３を参照して説明する。
【００２５】
図１に示すように、皿投入部１６０に積層されて投入された食器皿３は、搬送部用モータ１１１により駆動される搬送部１１０のスクリュウ１１２により一枚ずつ搬送される。識別部１２０上を食器皿３が通過すると、アンテナ１２１で食器皿３のＲＦＩＤの電波を受信し、識別部１２０が、食器皿３の種別を識別する。図示しない制御装置は、食器皿３の種別に対応する押出しピストン１５０Ａ〜Ｃに押出しを指示する。その後、スクリュウ１１２の終端に位置する皿排出部１３０Ａの位置に食器皿３が搬送されると、図５に示すように、食器皿３が、移動ギア１４１、１４２の上面に載置される。つぎに、移動ギア用モータ１４３を回転させて駆動ギア１４４を介して移動ギア１４１、１４２を前進移動させることで、移動ギア１４１、１４２上に載置されている食器皿３を１ピッチ前進移動させる。これにより、図６に示すように、食器皿３が、皿排出部１３０Ａから皿排出部１３０Ｂに前進移動する。その後、リフトレバー１４７でスライドレール１４５、１４６を下方に下げることで、図７に示すように、移動ギア１４１、１４２を下方に下げて、移動ギア用モータ１４３を逆回転させて駆動ギア１４４を介して移動ギア１４１、１４２を後退移動させる。この場合、移動ギア１４１、１４２を下方に下げることで、図７および図８に示すように、食器皿３は、ガイド部材１５１上に載置されることとなり、移動ギア１４１、１４２上から離れる。このため、移動ギア１４１、１４２が後退する際には、食器皿３は移動せず、そのまま前進移動後の皿排出部１３０に留まる。移動ギア１４１、１４２が下方に下げられているため、後退する場合には、食器皿３に接触することなく移動することができる。また、移動ギア１４１、１４２が後退したときには、つぎの食器皿３が、皿排出部１３０Ａの押出しピストン１５０Ａ上に搬送されている。その後、リフトレバー１４７でスライドレール１４５、１４６を持ち上げることで、移動ギア１４１、１４２が上方に持ち上げられて、皿排出部１３０Ａおよび皿排出部１３０Ｂにある食器皿３を載置し、移動ギア用モータ１４３を回転させて駆動ギア１４４を介して移動ギア１４１、１４２を前進移動させることで、移動ギア１４１、１４２上に載置されている食器皿３を１ピッチ移動させることができる。これにより、図１０に示すように、食器皿３が、皿排出部１３０Ａから皿排出部１３０Ｂに前進移動するとともに、食器皿３が、皿排出部１３０Ｂから皿排出部１３０Ｃに前進移動する。その後、食器皿３が、その種別に対応する皿排出部１３０Ｃまで搬送されると、図１１に示すように、押出しピストン１５０Ｃは、移動部１４０の移動ギア１４１、１４２が、後退移動しているときに、食器皿３を皿排出部Ｃの出口側であるストッカ１３３Ｃ内に押し出して持ち上げる。皿排出部Ｃのストッカ１３３Ｃの下端部には保持片１３２が三つ備えられており、食器皿３が押出しピストン１５０により上昇する場合には、保持片１３２が跳ね上がるように軸支して構成されており、押出しピストン１５０が下降する際には、食器皿３の周縁部分に保持片１３２が引っ掛かり食器皿３が保持されるように構成されている。これにより、押出しピストン１５０が下降しても、積層された食器皿３は、皿排出部の保持片１３２により保持される。
【００２６】
以上説明したような動作を連続して行うことで、皿排出部１３０Ａ、Ｂに位置する食器皿３を、１ピッチ分前進移動させ、皿排出部１３０Ｂ、Ｃにそれぞれ移動させることができ、食器皿３の種別に対応する皿排出部１３０まで移動されると、押出しピストン１５０により押し出されて皿排出部１３０のストッカ１３３Ａ〜Ｃに保持される。図１２に示すように、食器皿３が、その種別に対応する皿排出部１３０Ｂまたは皿排出部１３０Ｃまで搬送されると、図１３に示すように、押出しピストン１５０Ｂおよび押出しピストン１５０Ｃは、移動部１４０の移動ギア１４１、１４２が、後退移動しているときに、食器皿３を皿排出部Ｂおよび皿排出部Ｃの出口側であるストッカストッカ１３３Ｂ、Ｃ内に押し出して持ち上げる。なお、スクリュウ１１２の終端に位置する皿排出部１３０Ａに対応する種別の食器皿３がスクリュウ１１２から搬送され、食器皿３がガイド部材１５１上に載置された場合には、移動ギア１４１、１４２が後退移動しているときに、皿排出部Ａの押出しピストン１５０Ａが、食器皿３を皿排出部Ａの出口側であるストッカ１３３Ａ内に押し出して持ち上げることで、食器皿３は、皿排出部Ａの保持片１３２に保持される。
【００２７】
以上説明したように、移動部１４０は前進と後退とを交互に行うとともに、押出しピストン１５０による押出しは、移動部１４０の後退のタイミングに行うことで、移動部１４０と押出しピストン１５０とのタイミング制御もより簡単になり、食器皿３の種別毎の仕分けを確実に行うことができる。
【００２８】
＜追加の実施例＞
つぎに、上記実施例に示した皿分別装置の構成に、食器皿を支持する皿移動規制部１７０を追加した場合の構成を、追加の実施例として説明する。図１４及び図１５に、追加の実施例における皿分別装置１００Ａの構成及び動作説明図を示す。図１４（ａ）及び１５（ａ）に、皿分別装置１００Ａの移動部の平面図の一部を示し、図１４（ｂ）及び図１５（ｂ）に、皿分別装置１００Ａの動作説明図を示している。追加の実施例における皿分別装置１００Ａの構成は、皿移動規制部１７０の構成とそのリンク部分を除いて上記実施例に示した皿分別装置１００の構成と動作は同様であるので、異なる部分について説明する。
【００２９】
追加の実施例においては、図１に示したスクリュウ１１２の終端に位置する皿排出部１３０Ａの位置に食器皿３が搬送されて配置されたときや、移動部１４０により皿排出部１３０Ｂ又は１３０Ｃの位置食器皿３を移動させたときに生じる食器皿３の位置ずれを防止するために、食器皿３の移動を規制する皿移動規制部１７０を設けている。皿移動規制部１７０は、皿排出部１３０Ｂ、Ｃには設けなくとも、皿排出部１３０Ａにのみ対応させて備えることで、図１に示したスクリュウ１１２の終端に位置する皿排出部１３０Ａの位置に食器皿３が搬送されて配置されたときに生じる前進方向（この前進方向は移動部１４０の移動方向と同じである）への食器皿３の位置ずれを防止することができる。本追加の実施例においては、皿移動規制部１７０は、皿排出部１３０ごとに設ける場合を例にしているので、皿排出部１３０Ａ、Ｂにそれぞれ対応させて皿移動規制部１７０Ａ、１７０Ｂとしている。皿移動規制部１７０を皿排出部１３０ごとに設けることで、食器皿３が各皿排出部１３０に配置されたときに、皿移動規制部１７０が、食器皿３の前進方向（移動部１４０による移動方向）への移動を規制するため、食器皿３が皿排出部１３０の位置に留まり、皿排出部１３０の押出し位置に対して位置ずれしてしまうことがないので、押出しピストン１５０Ａ〜Ｃによる食器皿３の押上の失敗を防ぎ、食器皿３の押上をスムーズに行うことができる。
【００３０】
皿移動規制部１７０の構成は、図１４（ａ）及び（ｂ）に示すように、食器皿３に当接する当接部１７１と、当接部１７１を支持して上下に移動させるための支持部１７２と、支持部１７２を上下に駆動させる駆動軸１７３とを備える。駆動軸１７３は、リフトレバー１４７に連結されており、リフトレバー１４７によりスライドレール１４５、１４６が下方に下げられて移動ギア１４１、１４２が下方に下げられるとき、すなわち、移動部１４０により食器皿３が移動されていないときに、皿移動規制部１７０は、リフトレバー１４７により駆動軸１７３が駆動されて支持部１７２を介して当接部１７１を下方から上方に移動させ、当接部１７１の先端部分が食器皿３の糸底の側面に当接されることで、食器皿３の前進方向への移動を規制している。また、リフトレバー１４７でスライドレール１４５、１４６が持ち上げられ、移動ギア１４１、１４２が上方に持ち上げられるときに、皿移動規制部１７０は、リフトレバー１４７により駆動軸１７３が駆動されて支持部１７２を介して当接部１７１を食器皿３の当接位置の上方から下方に移動させている。これにより、図１５（ａ）及び（ｂ）に示すように、移動ギア１４１、１４２により食器皿３が前進方向への移動されているときには、当接部１７１は、食器皿３の前進を邪魔しないような下方位置に退避される。
【００３１】
皿移動規制部１７０の当接部１７１Ａ、Ｂの先端部は、図１４（ａ）に示すように、食器皿３の前進側の一部に当接して食器皿３の前進移動を規制できるような形状であればよく、例えば、糸底の側面の一部と同様な形状に形成しておくことで、食器皿３の糸底の側面部分に当接しやすくすることができる。皿移動規制部１７０の支持部１７２の移動方向としては、下方から上方に移動するもののほか、上方から下方に移動させることで食器皿３の移動を規制するものでもよい。上方から下方に移動させて規制する場合には、当接部１７１が、上方位置にあるときに、食器皿３の前進を邪魔しないような位置としておき、また、駆動軸１７３も上方に設けておく。また、皿移動規制部１７０を食器皿３の前進移動に邪魔にならないような側方側に設けるようにし、支持部１７２を横方向の水平方向に平行移動させて食器皿３の前進移動を規制するような構成にしてもよい。この場合駆動軸もそれに合わせて移動方向を設定しておく。
【００３２】
つぎに、皿分別装置１００Ａにおける食器皿３の移動と移動規制の様子を、図１４及び図１５を参照して説明する。
【００３３】
図１４（ａ）及び図１４（ｂ）に示すように、上述した実施例と同様に、図示しない搬送部１１０のスクリュウ１１２により食器皿３が一枚ずつ搬送され、食器皿３は、ガイド部材１５１の皿排出部１３０Ａの押出しピストン１５０Ａ上に載置される。そのとき、皿移動規制部１７０Ａ、Ｂは、リフトレバー１４７により駆動軸１７３Ａ、Ｂが駆動されて支持部１７２Ａ、Ｂを介して当接部１７１Ａ、Ｂを下方から上方に移動させ、当接部１７１Ａ、Ｂの先端部分が食器皿３の糸底の側面に当接されることで、食器皿３の前進方向への移動を規制する。一方、移動部１４０は、移動規制のタイミングに連動し、リフトレバー１４７でスライドレール１４５、１４６を下方に下げ、移動ギア１４１、１４２を下方に下げて、移動ギア用モータ１４３を逆回転させて駆動ギア１４４を介して移動ギア１４１、１４２を後退移動させる。またこのときに、食器皿３が、その種別に対応する皿排出部１３０Ａにある場合には、押出しピストン１５０Ａは、移動部１４０の移動ギア１４１、１４２が後退移動し、皿移動規制部１７０Ａが移動を規制しているときに、食器皿３を皿排出部Ａの出口側であるストッカ１３３Ａ内に押し出して持ち上げる。このとき、皿移動規制部１７０Ａは、押出しピストン１５０Ａの押上方向に対しては移動を規制しない。このように、皿移動規制部１７０Ａ、Ｂは、食器皿３の前進方向への移動のみを規制し、それ以外の方向への規制は行わないように構成されている。
【００３４】
つぎに、リフトレバー１４７により駆動軸１７３Ａ、Ｂが駆動されて支持部１７２Ａ、Ｂを介して当接部１７１Ａ、Ｂが食器皿３の当接位置の上方から下方に移動され、食器皿３の移動規制が解除される。移動規制の解除タイミングに連動し、リフトレバー１４７によりスライドレール１４５、１４６が持ち上げられ、移動ギア１４１、１４２が上方に持ち上げられて、皿排出部１３０Ａおよび皿排出部１３０Ｂにある食器皿３を載置し、図１５（ａ）及び（ｂ）に示すように、移動ギア用モータ１４３を回転させて駆動ギア１４４を介して移動ギア１４１、１４２を前進移動させることで、移動ギア１４１、１４２上に載置されている食器皿３が１ピッチ前進移動される。
【００３５】
その後は、上述した移動規制部１７０Ａ、Ｂによる移動規制、移動ギア１４１、１４２の後退移動及び押出しピストン１５０Ａ〜Ｂの押上と、移動規制部１７０Ａ、Ｂによる移動規制の解除及び移動ギア１４１、１４２による食器皿３の前進移動とを繰り返していく。この際に、リフトレバー１４７による移動ギア１４１、１４２の上下の動作に連動して、移動規制部１７０Ａ、Ｂが移動規制解除と移動規制とを行うことで、皿移動規制部１７０Ａ、Ｂと移動ギア１４１、１４２との両者の動作タイミングを簡単に合わせることができる。
【００３６】
以上説明したような動作を連続して行うことで、食器皿３が皿排出部１３０に配置されたときに、皿排出部１３０に位置するこの食器皿３に対して、皿移動規制部１７０が、前進方向（移動部１４０の移動方向）への食器皿３の移動を規制するため、食器皿３が皿排出部１３０の位置に留まり、皿排出部１３０の押出し位置に対して位置ずれしてしまうことがないので、押出しピストン１５０による食器皿３の押上の失敗を防ぎ、食器皿３の押上をスムーズに行うことができる。また、食器皿３の押上の失敗後の食器皿３の位置ずれによる前進移動のつまりも防ぐことができる。
【００３７】
また、移動部１４０は前進と後退とを交互に行うとともに、皿移動規制部１７０による食器皿３の移動規制と押出しピストン１５０による押出しは、移動部１４０の後退のタイミングに行うことで、移動部１４０と皿移動規制部１７０と押出しピストン１５０とのタイミング制御もより簡単になり、食器皿３の種別毎の仕分けを確実に行うことができる。
【００３８】
皿移動規制部１７０を皿排出部１３０Ａにのみ対応させて備える場合には、スクリュウ１１２の終端に位置する皿排出部１３０Ａの位置に食器皿３が搬送されて配置されたときに生じる食器皿３の位置ずれを防止することができる。また、皿移動規制部１７０を皿排出部１３０ごとに設ける場合には、食器皿３が各皿排出部１３０に配置されたときに、皿移動規制部１７０が、食器皿３の前進方向（移動部１４０による移動方向）への移動を規制するため、食器皿３が皿排出部１３０の位置に留まり、皿排出部１３０の押出し位置に対して位置ずれしてしまうことがないので、押出しピストン１５０Ａ〜Ｃによる食器皿３の押上の失敗を防ぎ、食器皿３の押上をスムーズに行うことができる。なお、図１４および図１５においては、皿排出部１３０Ａ、１３０Ｂにおける構成のみを示しているが皿排出部１３０Ｃにおいても皿移動規制部１７０を設けてもよいし、いずれか一つの皿排出部１３０に対して皿移動規制部１７０を設けるようにしてもよい。
【００３９】
上述した皿分別装置１００、１００Ａは、単体で構成しているが、例えば、皿洗浄装置または皿搬送装置の内部に設けるようにしてもよい。
【００４０】
上記実施例と追加の実施例によれば、皿排出部１３０は、食器皿３の種別毎に設けられており、移動部１４０は、食器皿３を載置して皿排出部１３０ＡまたはＢから隣接する皿排出部１３０ＢまたはＣに確実に移動させることができる。その後、押出しピストン１５０は、識別部により識別された食器皿３の種別に対応する皿排出部１３０に、食器皿３が移動部１４０により移動されたときに、食器皿３を皿排出部１３０の出口側に押し出すことができるので、食器皿３を停止位置である皿排出部１３０に確実に停止させて、押し出すことができる。これにより、食器皿３の停止位置が皿排出部１３０からずれてしまうことがなく、移動部１４０と押出しピストン１５０とのタイミング制御もより簡単になり、食器皿３の種別毎の仕分けを確実に行うことができる。この場合、食器皿３の種別に対応しない皿排出部１３０に食器皿３が移動されたときには、移動部１４０により、次の皿排出部１３０に移動させることができ、食器皿３は、種別に対応する皿排出部１３０まで次々と移動されていくことになる。
【００４１】
また、二つの棒状の移動手段である移動ギア１４１、１４２に、食器皿３を載置して移動させ、押出しピストン１５０は、二つの棒状の移動ギア１４１、１４２の隙間から食器皿３の底部を押し出すことができるので、押出しピストン１５０の押出しの際に、移動ギア１４１、１４２が邪魔にならないので、例えば、食器皿３の移動と押出しとを交互に行うことができ、食器皿３の種別毎の仕分けを確実に行うことができる。
【００４２】
移動部１４０は、隣接する皿排出部１３０への食器皿３の移動を、同時に、皿排出部１３０ＡおよびＢの全てにおいて行うことができるので、一列に配設されている皿排出部１３０において、複数の食器皿３を次々と移動させることができる。
【００４３】
さらに、移動ギア１４１、１４２は、皿排出部１３０ＡまたはＢから隣接する皿排出部１３０ＢたまはＣに移動（前進）し、このとき、スライドレール１４５、１４６とリフトレバー１４７とは、移動ギア１４１、１４２を上方に持ち上げており、また、スライドレール１４５、１４６とリフトレバー１４７とが、移動ギア１４１、１４２を下方に下げてから、移動ギア１４１、１４２は、隣接する皿排出部１３０ＢまたはＣから皿排出部１３０ＡまたはＢに戻る（後退する）ように動作する。押出しピストン１５０は、スライドレール１４５、１４６とリフトレバー１４７とにより移動ギア１４１、１４２が下方に下げられた際に、皿排出部１３０に位置する食器皿３を保持するとともに、皿排出部１３０が、食器皿３の種別に対応する皿排出部１３０の場合には、食器皿３を皿排出部１３０に押し出すことができる。これにより、移動ギア１４１、１４２は、前進移動するときには上方において移動し、後退するときには下方において移動する。このため、後進するときにはガイド部材１５１が食器皿３を保持するので、食器皿３が後退することがなく、食器皿３を次々と前進させることができる。
【００４４】
移動ギア１４１、１４２は、皿排出部１３０の少なくとも二つに亘って配設されるため、移動ギア１４１、１４２により皿排出部１３０に位置する複数の食器皿３を同時に移動させることができる。
【００４５】
また、ガイド部材１５１は、全ての皿排出部に亘って配設されるようにしているが、皿排出部１３０ごとにガイド部材１５１を備えるようにしてもよい。さらに、移動ギア１４１、１４２が前進するときに、ガイド部材１５１により食器皿３の側方裏面などがガイドされるようにしてもよい。これにより、皿排出部１３０ＡまたはＢから隣接する皿排出部１３０ＢたまはＣへの移動（前進）を補助することができる。
【００４６】
追加の実施例によれば、皿排出部１３０に位置する食器皿３に対して、移動部１４０の移動方向への食器皿３の移動を規制する皿移動規制部１７０を有するため、食器皿３が皿排出部１３０に配置されたときに、皿排出部１３０に位置するこの食器皿３に対して、皿移動規制部１７０が移動部１４０の移動方向への食器皿３の移動を規制するため、食器皿３が皿排出部１３０の位置に留まり、皿排出部１３０の押出し位置に対して位置ずれしてしまうことがないので、押出しピストン１５０による食器皿３の押上の失敗を防ぎ、食器皿３の押上をスムーズに行うことができる。また、食器皿３の押上の失敗後の食器皿３の位置ずれによる前進移動のつまりも防ぐことができる。
【００４７】
追加の実施例によれば、リフトレバー１４７による移動ギア１４１、１４２の動作に連動されるとともに、皿排出部１３０に位置する食器皿３に対して、移動部１４０の移動方向への食器皿３の移動を規制する皿移動規制部１７０を有するため、皿移動規制部１７０の動作タイミングを、例えば、移動部１４０の動作タイミングにおける食器皿３が移動されていない移動ギア手段が下がるタイミングに合わせて規制することで、食器皿３が押出し位置に対して位置ずれしてしまうことがないので、押出しピストン１５０による食器皿３の押上の失敗を防ぎ、食器皿３の押上をスムーズに行うことができる。また、食器皿３の押上の失敗後の食器皿３の位置ずれによる前進移動のつまりも防ぐことができる。
【００４８】
以上、本発明の実施例を図面により説明してきたが、具体的な構成はこれら実施例に限られるものではなく、本発明の要旨を逸脱しない範囲における変更や追加があっても本発明に含まれる。
【００４９】
例えば、皿排出部１３０は、少なくとも食器皿３の種別ごとに設けられるが、同じ種別の皿排出部１３０を複数設けるようにしてもよい。この場合、同じ種別の皿排出部１３０それぞれに分別する枚数が均等となるように食器皿３を交互に分別するように制御してもよい。
【００５０】
また、前記実施例と追加の実施例では、食器皿３は丸形状のもので説明したが、それ以外の四角形状や多角形状の皿であってもよい。この場合、皿移動規制部１７０の当接部１７１の形状は皿の形状に合うような構成とすることができる。
【００５１】
押出しピストン１５０Ａ〜Ｃは、スライドレール１４５、１４６と、リフトレバー１４７により移動ギア１４１、１４２が下方に下げられた際に、皿排出部１３０Ａ〜Ｃに位置するに位置する食器皿３を載置するようにしてもよい。
【符号の説明】
【００５２】
３                  食器皿（飲食物容器）
１００、１００Ａ    皿分別装置
１１０              搬送部
１１１              搬送部用モータ
１１２              スクリュウ
１２０              識別部
１２１              アンテナ
１３０Ａ〜Ｃ        皿排出部
１３１Ａ〜Ｃ        押出し用モータ
１３２              保持片
１３３Ａ〜Ｃ        ストッカ
１４０              移動部
１４１、１４２      移動ギア
１４３              移動ギア用モータ
１４４              駆動ギア
１４５、１４６      スライドレール
１４７              リフトレバー
１５０Ａ〜Ｃ        押出しピストン
１５１              ガイド部材
１６０              皿投入部
１７０Ａ、Ｂ        皿移動規制部
１７１Ａ、Ｂ        当接部
１７２Ａ、Ｂ        支持部
１７３Ａ、Ｂ        駆動軸
【図１】
2013224211.tif 000003
【図２】
2013224211.tif 000004
【図３】
2013224211.tif 000005
【図４】
2013224211.tif 000006
【図５】
2013224211.tif 000007
【図６】
2013224211.tif 000008
【図７】
2013224211.tif 000009
【図８】
2013224211.tif 000010
【図９】
2013224211.tif 000011
【図１０】
2013224211.tif 000012
【図１１】
2013224211.tif 000013
【図１２】
2013224211.tif 000014
【図１３】
2013224211.tif 000015
【図１４】
2013224211.tif 000016
【図１５】
2013224211.tif 000017